(57)【特許請求の範囲】
【請求項１】
軸筒と、該軸筒内に進退可能に設けられるとともに前端側に筆記部を突出させた中芯ユニットと、軸筒内にて前記筆記部の周囲を覆うとともに軸筒に対し前進不能に係止されたシール筒と、該シール筒の前端開口部を開放可能に閉鎖する蓋部材と、前記蓋部材に対し前方側から圧接する蓋開閉部材と、前記中芯ユニットを後方へ付勢する付勢部材とを備え、前記中芯ユニットを前進させることで前記蓋開閉部材を緩めて前記蓋部材を開放し前記筆記部を突出させ、前記中芯ユニットを後退させることで前記蓋開閉部材を後方へ引っ張り前記蓋部材を閉鎖し前記筆記部を没入するようにした出没式筆記具において、
前記中芯ユニットは、前記筆記部を支持した支持筒部の後側に、後方斜め径外方向へ傾斜する環状の傾斜段部を有し、
前記蓋開閉部材は、前記支持筒部の外周面に沿って後方へ延びる係合片部を、周方向に間隔を置いて複数有し、
前記係合片部の各々は、前記支持筒部に係止されるとともに前記付勢部材の付勢力により後方へ引っ張られ、前記中芯ユニットが前進した際に、前記傾斜段部に摺接するとともに軸筒径外方向へ撓んで、前記支持筒部との係止状態を解除することを特徴とする出没式筆記具。
【請求項２】
複数の前記係合片部の各々には、軸筒軸方向へ長尺な被係合孔が設けられ、
前記支持筒部の外周面には、前記被係合孔の後端側に挿入されて前記係合片部を後方へ引っ張るように、係合突起が設けられていることを特徴とする請求項１記載の出没式筆記具。
【請求項３】
前記係合突起は、前記被係合孔の後端に当接する面を、前方へ向かって軸筒径内方向へ傾斜する傾斜面としていることを特徴とする請求項２記載の出没式筆記具。
【請求項４】
前記蓋部材は、その外周縁の一部が前記シール筒に接続されるとともに、該接続部分を支点にし、自由端側を前後方向へ回動して開閉動作するように設けられ、
前記蓋開閉部材は、前記蓋部材に対し前方側から圧接する環状押圧部を有するとともに、該環状押圧部の径方向の一端側と他端側からそれぞれ後方へ延びて前記係合片部に接続された二つの引張片部を有し、
二つの前記引張片部のうちの一方は、前記蓋部材の前記自由端寄りに配置され、その他方は、前記接続部分寄りに配置されることを特徴とする請求項１乃至３何れか１項記載の出没式筆記具。
【請求項５】
前記蓋部材の内面に、前記シール筒内へ挿入されて、前記シール筒の内周面に近接又は接触する突起を、周方向へ間隔を置いて複数設けたことを特徴とする請求項１乃至４何れか１項記載の出没式筆記具。
【請求項６】
前記軸筒の前端側に、軸筒壁面を貫通する逃がし孔が設けられ、
前記逃がし孔は、前進した際の前記蓋開閉部材の前端側部分を挿入するように配設されていることを特徴とする請求項１乃至５何れか１項記載の出没式筆記具。
【発明の詳細な説明】
【技術分野】
【０００１】
本発明は、密閉状態の筆記部を、蓋部材を開放させて突出するようにした出没式筆記具に関するものである。
【背景技術】
【０００２】
通常、マーキングペンやサインペン等では、筆記部の乾燥を簡素な構造によって防止するために、キャップ式構造を採用する場合が多い。しかし、キャップ式筆記具は、キャップの着脱に両手を使うこと、キャップが落下衝撃等で外れてしまうおそれがあること、キャップを引張った際の衝撃でインクが飛散するおそれがあること等、改善の余地を有している。
【０００３】
そこで、例えば、特許文献１に記載の発明では、軸筒（バレル１２及びノーズセクション２０等）と、該軸筒内に進退可能に設けられるとともに前端側に筆記部（筆記用ニブ２４）を有する中芯ユニット（リザーバホルダ２２及び保持アーム２８等）と、軸筒内にて前記筆記部の周囲を覆うとともに軸筒に対し前進不能に係止されたシール筒（弁４０の筒状部分）と、該シール筒の前端開口部を開放可能に閉鎖する蓋部材（蓋４２）と、前記蓋部材に対し前方側から圧接する蓋開閉部材（蓋リング６２、保持リング６４及び蓋アーム６６等）と、前記中芯ユニットを後方へ付勢する付勢部材（偏倚部材３６）とを備え、前記中芯ユニットを前進させることで前記蓋開閉部材を緩めて前記蓋部材を開放し前記筆記部を突出させ、前記中芯ユニットを後退させることで前記蓋開閉部材を後方へ引っ張り前記蓋部材を閉鎖し前記筆記部を没入するようにしている。
【０００４】
ところで、前記従来技術によれば、前記中芯ユニットが前進する際、先ず、保持アーム（２８）の外周面の小さな突出部（３４）を保持リング（６４）に当接させて該保持リング（６４）を押動する。そして、この押動により蓋リング（６２）が軸筒前端内面に当接した後は、前記突出部（３４）を保持リング（６４）内に潜り込ませて、さらに前記中芯ユニットを前進させるようにしている（特許文献１の図３〜５参照）。
したがって、突出部（３４）の寸法を高精度に管理する必要が生じ、例えば、突出部（３４）の突出量が小さすぎると、該突出部（３４）が保持リング（６４）に当接せずに保持リング（６４）内に潜り込み、また、突出部（３４）の突出量が大きすぎると、該突出部（３４）が保持リング（６４）に潜り込み難くなり、何れの場合も作動性の低下を招くおそれがある。
【先行技術文献】
【特許文献】
【０００５】
【特許文献１】特表２０１２−５１６２５２号公報
【発明の概要】
【発明が解決しようとする課題】
【０００６】
本発明は上記従来事情に鑑みてなされたものであり、その課題とする処は、中芯ユニットの作動性が良好な出没式筆記具を提供することにある。
【課題を解決するための手段】
【０００７】
上記課題を解決するための一手段は、軸筒と、該軸筒内に進退可能に設けられるとともに前端側に筆記部を突出させた中芯ユニットと、軸筒内にて前記筆記部の周囲を覆うとともに軸筒に対し前進不能に係止されたシール筒と、該シール筒の前端開口部を開放可能に閉鎖する蓋部材と、前記蓋部材に対し前方側から圧接する蓋開閉部材と、前記中芯ユニットを後方へ付勢する付勢部材とを備え、前記中芯ユニットを前進させることで前記蓋開閉部材を緩めて前記蓋部材を開放し前記筆記部を突出させ、前記中芯ユニットを後退させることで前記蓋開閉部材を後方へ引っ張り前記蓋部材を閉鎖し前記筆記部を没入するようにした出没式筆記具において、前記中芯ユニットは、前記筆記部を支持した支持筒部の後側に、後方斜め径外方向へ傾斜する環状の傾斜段部を有し、前記蓋開閉部材は、前記支持筒部の外周面に沿って後方へ延びる係合片部を、周方向に間隔を置いて複数有し、前記係合片部の各々は、前記支持筒部に係止されるとともに前記付勢部材の付勢力により後方へ引っ張られ、前記中芯ユニットが前進した際に、前記傾斜段部に摺接するとともに軸筒径外方向へ撓んで、前記支持筒部との係止状態を解除することを特徴とする。
【発明の効果】
【０００８】
本発明は、以上説明したように構成されているので、中芯ユニットの作動性が良好である。
【図面の簡単な説明】
【０００９】
【図１】本発明に係る出没式筆記具の一例を示す斜視図であり、（ａ）は筆記部を没入させた状態を示し、（ｂ）は筆記部を突出させた状態を示す。
【図２】軸筒の一例を示す断面図であり、（ａ）に対し（ｂ）は切断面を９０度回転させている。
【図３】中芯ユニット、蓋及び蓋開閉部材等の一例を示す斜視図である。
【図４】蓋及びシール筒の一例を示す斜視図である。
【図５】蓋開閉部材の一例を示す斜視図である。
【図６】筆記部を突出させる際の動作を（ａ）〜（ｃ）に順次に示す要部断面図である。
【図７】筆記部を突出させる際の動作を（ａ）〜（ｃ）に順次に示す要部断面図であり、図６に対し切断面を９０度回転させている。
【発明を実施するための形態】
【００１０】
本実施の形態の第一の特徴は、軸筒と、該軸筒内に進退可能に設けられるとともに前端側に筆記部を突出させた中芯ユニットと、軸筒内にて前記筆記部の周囲を覆うとともに軸筒に対し前進不能に係止されたシール筒と、該シール筒の前端開口部を開放可能に閉鎖する蓋部材と、前記蓋部材に対し前方側から圧接する蓋開閉部材と、前記中芯ユニットを後方へ付勢する付勢部材とを備え、前記中芯ユニットを前進させることで前記蓋開閉部材を緩めて前記蓋部材を開放し前記筆記部を突出させ、前記中芯ユニットを後退させることで前記蓋開閉部材を後方へ引っ張り前記蓋部材を閉鎖し前記筆記部を没入するようにした出没式筆記具において、前記中芯ユニットは、前記筆記部を支持した支持筒部の後側に、後方斜め径外方向へ傾斜する環状の傾斜段部を有し、前記蓋開閉部材は、前記支持筒部の外周面に沿って後方へ延びる係合片部を、周方向に間隔を置いて複数有し、前記係合片部の各々は、前記支持筒部に係止されるとともに前記付勢部材の付勢力により後方へ引っ張られ、前記中芯ユニットが前進した際に、前記傾斜段部に摺接するとともに軸筒径外方向へ撓んで、前記支持筒部との係止状態を解除する。
この構成によれば、中芯ユニットを前進させることで、蓋開閉部材を緩めて蓋部材を開放し筆記部を突出させる際に、複数の係合片部が、それぞれ、傾斜段部に摺接して軸筒径外方向へ撓み、各係合片部と支持筒部との係止状態が解除される。よって、蓋開閉部材と中芯ユニットとの摩擦抵抗を軽減して、中芯ユニットの動作性を向上することができる。
【００１１】
第二の特徴として、複数の前記係合片部の各々には、軸筒軸方向へ長尺な被係合孔が設けられ、前記支持筒部の外周面には、前記被係合孔の後端側に挿入されて前記係合片部を後方へ引っ張るように、係合突起が設けられている。
この構成によれば、中芯ユニットの係合突起が、係合片部の被係止孔の後端に係止して、蓋開閉部材を後方へ引っ張る。中芯ユニットが前進した際には、各係合突起が被係合孔内を前方へ移動することで、被係止孔の後端と各係止突起との係止状態が解除される。
【００１２】
第三の特徴としては、前記係合突起は、前記被係合孔の後端に当接する面を、前方へ向かって軸筒径内方向へ傾斜する傾斜面としている。
この構成によれば、後退した際の中芯ユニットにより蓋開閉部材を引張る際に、蓋開閉部材の係合片部を前記傾斜面により軸筒径内方向へ撓ませて、係合片部の被係合孔を、前記係合突起の付け根側まで深く係合させることができ、ひいては、係合突起と被係合孔との係合が外れて、作動不良を生じるようなことを防止することができる。
【００１３】
第四の特徴としては、前記蓋部材は、その外周縁の一部が前記シール筒に接続されるとともに、該接続部分を支点にし、自由端側を前後方向へ回動して開閉動作するように設けられ、前記蓋開閉部材は、前記蓋部材に対し前方側から圧接する環状押圧部を有するとともに、該環状押圧部の径方向の一端側と他端側からそれぞれ後方へ延びて前記係合片部に接続された二つの引張片部を有し、二つの前記引張片部のうちの一方は、前記蓋部材の前記自由端寄りに配置され、その他方は、前記接続部分寄りに配置される。
この構成によれば、蓋部材の自由端寄りにおいて、該蓋部材を押圧する環状押圧部が前記引張片部により支持されるため、環状押圧部の押圧力が変形等により低下し、蓋部材の前記自由端側と前記シール筒の前端開口部との間の気密性が低下するようなことを防ぐことができる。
【００１４】
第五の特徴としては、前記蓋部材の内面に、前記シール筒内へ挿入されて、前記シール筒の内周面に近接又は接触する突起を、周方向へ間隔を置いて複数設けた（図４参照）。
この構成によれば、蓋部材が閉鎖された際の位置決めを、複数の前記突起により行うことができ、ひいては、蓋部材による気密性を向上することができる。
【００１５】
第六の特徴としては、前記軸筒の前端側に、軸筒壁面を貫通する逃がし孔が設けられ、前記逃がし孔は、前進した際の前記蓋開閉部材の前端側部分を挿入するように配設されている（図１参照）。
この構成によれば、蓋開閉部材を前進させる際の作動スペースを、前記逃がし孔内に確保することができる。
【００１６】
なお、後述する実施例では、上記特徴の一部を含まずに、以下の構成要件を必須とした発明も開示している。
すなわち、この発明は、軸筒と、該軸筒内に進退可能に設けられるとともに前端側に筆記部を突出させた中芯ユニットと、軸筒内にて前記筆記部の周囲を覆うとともに軸筒に対し前進不能に係止されたシール筒と、該シール筒の前端開口部を開放可能に閉鎖する蓋部材と、前記蓋部材に対し前方側から圧接する蓋開閉部材と、前記中芯ユニットを後方へ付勢する付勢部材とを備え、前記中芯ユニットを前進させることで前記蓋開閉部材を緩めて前記蓋部材を開放し前記筆記部を突出させ、前記中芯ユニットを後退させることで前記蓋開閉部材を後方へ引っ張り前記蓋部材を閉鎖し前記筆記部を没入するようにした出没式筆記具において、前記軸筒の前端側に、軸筒壁面を貫通する逃がし孔が設けられ、前記逃がし孔は、前進した際の前記蓋開閉部材の前端側部分を挿入するように配設されている。
この構成によれば、蓋開閉部材を前進させた際に、該蓋開閉部材の前端側が前記逃がし孔に挿入される。したがって、蓋開閉部材の作動スペースを確保するために当該出没式筆記具が大型化するのを防ぐことができる。
【実施例】
【００１７】
次に、上記特徴を有する好ましい実施例を、図面に基づいて詳細に説明する。
以下の説明において、「前」とは、軸筒１０の先端方向（筆記部が突出する方向）を意味し、「後」とは前記「前」に対する逆方向を意味する。また、「径内方向」とは、軸筒１０の径方向に沿う方向であって、かつ軸筒１０の軸心（中心）へ向かう方向を意味する。また、「径外方向」とは、前記径内方向に対する逆方向を意味する。また、「軸筒軸方向」とは、軸筒１０の軸心（中心）に沿う方向を意味する。
【００１８】
この出没式筆記具１は、軸筒１０と、該軸筒１０内に進退可能に設けられるとともに前端側に筆記部２２ａを有する中芯ユニット２０と、軸筒１０内にて前記筆記部２２ａの周囲を覆うとともに軸筒１０に対し前進不能に係止されたシール筒３０と、該シール筒３０の前端開口部を開放可能に閉鎖する蓋部材４０と、前記蓋部材４０に対し前方側から圧接する蓋開閉部材５０と、中芯ユニット２０を軸筒１０に対し後方へ付勢する付勢部材６０とを備え、中芯ユニット２０を前進させることで蓋開閉部材５０を緩めて蓋部材４０を開放し前記筆記部２２ａを突出させ、中芯ユニット２０を後退させることで蓋開閉部材５０を後方へ引っ張り蓋部材４０を閉鎖し前記筆記部２２ａを没入する。
【００１９】
軸筒１０は、長尺円筒状の部材であり（図１参照）、単一の筒状部材から形成してもよいし、複数の筒状部材を接続することで構成してもよい。
この軸筒１０は、前端側を先細状に窄めており、その内壁面の前端側に、前進した際の蓋開閉部材５０を当接させるための被当接部１１を有し、さらに、最前端部には、筆記部２２ａを出没させるための開口部１９を有する。被当接部１１は、軸筒全周にわたる段状の面である（図２参照）。
【００２０】
軸筒１０前端側の先細状部分には、その壁面を貫通するように逃がし孔１２が設けられる。この逃がし孔１２には、蓋開閉部材５０が前進した際に、該蓋開閉部材５０の最前端部が挿入される（図１（ｂ）参照）。
【００２１】
また、軸筒１０の前端側の内周面には、蓋開閉部材５０の進退を案内するガイド凸部１３と、蓋部材４０及びシール筒３０を前進不能に係止する係止部１３ａと、蓋開閉部材５０及び回動部材２４等に係合する縦リブ１４とが設けられる（図２参照）。
【００２２】
ガイド凸部１３は、軸筒１０内面から突出し軸筒後方へ延びるリブ状の突起であり、軸筒周方向に間隔を置いて一対に設けられる（図２（ａ）参照）。これら一対のガイド凸部１３，１３は、軸筒１０の内周面において周方向に角度１８０度の間隔を置いて、２箇所に設けられる（図２（ｂ）参照）。蓋開閉部材５０は、ガイド凸部１３，１３の外側面に沿うようにして進退する。
【００２３】
係止部１３ａは、前記二本のガイド凸部１３，１３間の段部によって平面視略凹状（図２（ａ）参照）に形成される。この係止部１３ａは、シール筒３０の当接突起３３（図４参照）を受けて、シール筒３０を前進不能に保持する。
【００２４】
縦リブ１４は、軸筒１０内周面の前半部側において径方向の両側に位置するように二つ設けられる。各縦リブ１４は、前後方向へ長尺状に連続している。各縦リブ１４における径内方向の端面は、蓋開閉部材５０の外周面に近接又は摺接して、蓋開閉部材５０の進退動作を安定させる。
また、各縦リブ１４の後端部は、回動部材２４が前側係止部１７に係止した位置から前進した際に、回動部材２４のカム斜面２４ａに係合して、回動部材２４を回動させる。
【００２５】
また、軸筒１０内周面の後半部側には、中芯ユニット２０の進退を案内する長尺孔状のガイド孔１６や、中芯ユニット２０を進退動作の前側と後側で係脱する前側係止部１７及び後側係止部１８等が設けられる。
【００２６】
また、中芯ユニット２０は、筒状部材２１と、該筒状部材２１に内在されるチップ２２及び中綿２３（図６参照）と、筒状部材２１の外周に環状に装着される回動部材２４（図３参照）と、筒状部材２１の後端開口部を塞ぐノック部２５とを具備する。
そして、この中芯ユニット２０の前端側には、付勢部材６０や、シール筒３０、蓋部材４０及び蓋開閉部材５０等が装着される（図３参照）。
【００２７】
筒状部材２１は、小径筒状の支持筒部２１ａ（図６参照）と、該支持筒部２１ａよりも後側で後方斜め径外方向へ傾斜する環状の傾斜段部２１ｂと、該傾斜段部２１ｂから後方へ延設された大径筒部２１ｃとを有する。
【００２８】
支持筒部２１ａは、図６に示すように、その内部にチップ２２を進退不能に嵌合し、該チップ２２前端の筆記部２２ａを前方へ突出させている。この支持筒部２１ａには、付勢部材６０（図示例によれば、圧縮コイルスプリング）が環状に装着され、さらに、この付勢部材６０よりも前側にシール筒３０が環状に装着される。
支持筒部２１ａにおける付勢部材６０よりも後側の外周面には、径方向の両側へ突出するように二つの係合突起２１ｄ，２１ｄが設けられる。これら係合突起２１ｄ，２１ｄは、後述する蓋開閉部材５０に係合している。
各係合突起２１ｄは、係合片部５４の被係合孔５４ａの後端に当接する面を、前方へ向かって軸筒径内方向へ傾斜する傾斜面２１ｄ１としている。
【００２９】
チップ２２は、多数の合成樹脂繊維を軸状に収束してなり、その前端に、例えば砲弾状や斜めカット状等、当該出没式筆記具の用途に応じた適宜形状の筆記部２２ａを有する（図６及び図７参照）。
中綿２３は、円柱状に束ねられた多数の繊維にインクを含浸してなり、その前端部に、チップ２２の後端部を差し込んでいる（図６及び図７参照）。
【００３０】
また、傾斜段部２１ｂは、軸筒後方斜め径外方向へ向かう傾斜面であり、軸筒周方向の全周にわたって連続する環状に形成される（図３参照）。
この傾斜段部２１ｂは、軸筒１０内で中芯ユニット２０が前進した際に、蓋開閉部材５０の係合片部の後端に当接して、該係合片部の後端側を径外方向へ撓ませるように（図６参照）、その傾斜角度が適宜に設定されている。
【００３１】
大径筒部２１ｃは、傾斜段部２１ｂの最大径部分から後方へ延設される。この大径筒部２１ｃの外周には、回動部材２４が環状に嵌め合せられる。また、大径筒部２１ｃの後端にはノック部２５が接続され、大径筒部２１ｃの内部には中綿２３が収納される。
【００３２】
回動部材２４は、環状本体部２４ｂに、軸筒１０内周面の縦リブ１４に係合するカム斜面２４ａや、軸筒径内方向へ弾性変形可能な係止突起２４ｃなどを一体に設けてなる。カム斜面２４ａは、環状本体部２４ｂの前端縁から前方へ突出する突起に形成される。また、係止突起２４ｃは、環状本体部２４ｂの後端縁から後方へ突出する突片部に設けられ、軸筒径外方向へ突出している。
【００３３】
また、シール筒３０は、支持筒部２１ａの前端部及び筆記部２２ａの周囲を覆うようにして、支持筒部２１ａの前端側に進退可能に装着された略円筒状の部材である。
このシール筒３０の後端側内周面には、支持筒部２１ａの外周面に摺接して気密性を保持する環状突起３１が設けられる（図６及び図７参照）。
また、シール筒３０の後端側外周面には、付勢部材６０の前端を受ける段部３２が設けられる。
シール筒３０の前端側外周面における径方向の両側には、当接突起３３（図４参照）が設けられる。この当接突起３３は、軸筒１０内の係止部１３ａ（図２参照）に当接して、シール筒３０の前方への移動を規制する。
【００３４】
シール筒３０の前端側内周部には、筒状のシール材３４が設けられる。このシール材３４は、エラストマー樹脂をシール筒３０に一体成型することで構成される。このシール材３４は、シール筒３０の前端開口部を蓋部材４０によって閉鎖した際に、蓋部材４０内面に圧接されて、シール筒３０内の密閉性を向上する。
【００３５】
また、シール筒３０外周部における前端側には、蓋部材４０が開閉可能に装着される。
蓋部材４０は、合成樹脂材料（例えば、ポリプロピレン等）によって一体成形され、シール筒３０の前端側の外周面に接続された接続部４３を弾性的に撓ませて、円盤状の蓋本体部４２を回動させる。
【００３６】
蓋本体部４２は、シール筒３０の前端開口部の内縁に嵌脱可能な円盤状に形成され、その内面には、中心寄りに位置する隆起部４２ａと、該隆起部４２ａの周囲に位置する突起４２ｂとが設けられる。
隆起部４２ａは、蓋部材４０の閉鎖状態で、シール筒３０内に突出する凸曲面状に形成される。この隆起部４２ａは、前進する筆記部２２ａを受けて蓋本体部４２の開放を容易にする。
突起４２ｂは、筆記部２２ａと干渉しないように筆記部２２ａの出没経路の両側に位置して、周方向に間隔を置いて複数設けられ、蓋部材４０の閉鎖状態においてシール筒３０前端側内縁に近接又は接触して蓋部材４０をセンタリングする。この突起４２ｂによれば、閉鎖状態の蓋部材４０が、搬送や使用時の振動等によって径方向へがたつき、シール性が損なわれるようなことを防ぐことができる。
【００３７】
また、接続部４３は、略閉鎖状態の蓋部材４０の外周縁の一部と、シール筒３０の前端側外周面の一部とを接続しており、弾性的に撓むことで、蓋部材４０を回動させて開放したり閉鎖したりする。
【００３８】
上記構成のシール筒３０と、蓋部材４０は、それぞれ別体の部材を組付けるようにしてもよいし、予め一体成型された部材としてもよい。
【００３９】
また、蓋開閉部材５０は、蓋部材４０に対し前方側から圧接する環状押圧部５１と、環状押圧部５１の径方向の一端側と他端側からそれぞれ後方へ延びた二つの引張片部５２，５２と、これら引張片部５２，５２の後端側に接続された筒部５３と、該筒部５３から後方へ延びる二つの係合片部５４，５４とを具備し、
弾性的に撓むことが可能な合成樹脂材料（例えば、ポリアセタールやポリプロピレン等）によって一体成形されている。
【００４０】
環状押圧部５１は、蓋部材４０に対し前方側から嵌り合う環状に形成され、二つの引張片部５２，５２により後方へ引っ張られることで、蓋部材４０前面の周縁側を押圧する。
この環状押圧部５１は、閉鎖状態の蓋部材４０から前方へ離れることで、蓋部材４０の前方への回動（開放動作）を可能にする。また、同環状押圧部５１は、開放状態の蓋部材４０の縁を前方から押すことで、該蓋部材４０を後方へ回動（閉鎖動作）させる（図６及び図７参照）。
【００４１】
引張片部５２，５２は、環状押圧部５１の周端側から後方へ延設された部材である（図５参照）。これら引張片部５２，５２のうちの一方は、回動する蓋部材４０の自由端寄り（図７によれば上側）に配置され、その他方は、蓋部材４０の接続部４３寄り（図７によれば下側）に配置される。
この配置によれば、閉鎖状態の蓋部材４０の自由端寄りに対応して、引張片部５２が位置するため、蓋部材４０の変形等が生じた場合でも、その変形を引張片部５２による引張力により矯正することができ、ひいては、蓋部材４０の自由端側とシール筒３０との間に隙間が生じるようなことを防ぐことができる。
【００４２】
筒部５３は、付勢部材６０の周囲に遊びを有する状態で環状に嵌め合せられ、その周壁において径方向の一方側と他方側に、それぞれ、前方を開口したガイド凹部５３ａを有する（図５参照）。各ガイド凹部５３ａは、軸筒１０内面の一対のガイド凸部１３，１３（図２参照）に嵌り合い、蓋開閉部材５０の前後方向の動きをガイドする。
【００４３】
係合片部５４，５４は、支持筒部２１ａ及び付勢部材６０を間に置くようにして、二股状に設けられる。各係合片部５４は、付勢部材６０の側面に沿うようにして後方へ延設され、中芯ユニット２０が前進した際に、中芯ユニット２０の傾斜段部２１ｂに摺接して軸筒径外方向へ撓む（図６参照）。
各係合片部５４には、軸筒軸方向へ長尺な被係合孔５４ａが設けられる。この被係合孔５４ａの後端縁は、支持筒部２１ａ外周の係合突起２１ｄに対し係止される。
【００４４】
付勢部材６０は、圧縮コイルスプリングであり、その前端をシール筒３０の段部に当接するとともに、後端を支持筒部２１ａにおける係合突起２１ｄ前側の部分に当接して、シール筒３０と中芯ユニット２０の間を弾発する。
したがって、蓋開閉部材５０は、各係合片部５４が係合突起２１ｄに係止された状態で、付勢部材６０の付勢力によって中芯ユニット２０に対し前方へ付勢される。
【００４５】
上述した中芯ユニット２０、シール筒３０、蓋部材４０、蓋開閉部材５０及び付勢部材６０は、図３に示すように一体化され、軸筒１０内に後方側から挿入される。この際、筒状部材２１の後端側外周に設けられる図示しない突起を、軸筒１０後端の切欠部１６ａに挿入することで、周方向の位置合わせが行われる。そして、この後、前記突起を、軸筒１０内周面側に潜り込ませるようにして前進させ、ガイド孔１６に嵌め合せる。
【００４６】
次に上記構成の出没式筆記具１について、その特徴的な作用効果を詳細に説明する。
図１及び図６（ａ）は、筆記部２２ａを没入させた初期状態を示す。この初期状態では、中芯ユニット２０外周の回動部材２４は、係止突起２４ｃを後側係止部１８に係合している。
また、この初期状態では、蓋開閉部材５０が付勢部材６０によって前方へ付勢されるため、各係合片部５４の被係合孔５４ａの後端内縁が、係合突起２１ｄ後端の傾斜面２１ｄ１に押圧される。よって、各係合片部５４は、前記傾斜面２１ｄ１によって軸筒径内方向へ撓んだ状態に維持される。
【００４７】
前記初期状態において、ノック部２５が前方へ押される等して、中芯ユニット２０が前進すると、係止突起２４ｃは、軸筒径内方向へ撓んで後側係止部１８から外れ、軸筒１０の内周面に沿って前進する。そして、前進する係止突起２４ｃは、前側係止部１７に嵌り合って係止される。
【００４８】
前記前進の過程において、中芯ユニット２０の前部側では、蓋開閉部材５０の二つの係合片部５４，５４が、それぞれ、軸筒径外方向へ撓みながら、係合突起２１ｄから後方へ離れてゆく。
詳細に説明すれば、中芯ユニット２０が前進すると、蓋開閉部材５０における各係合片部５４の後端が、筒状部材２１の傾斜段部２１ｂに摺接し、各係合片部５４が径外方向へ撓むとともに、各係合片部５４の被係合孔５４ａの後端縁が傾斜面２１ｄ１から後方へ離れ、大径筒部２１ｃが、二つの係合片部５４，５４の間に入り込むようにして前進する（図６（ｂ）参照）。
【００４９】
また、中芯ユニット２０の前進中、シール筒３０は軸筒１０内の係止部１３ａに係止されて前進不能であるため、蓋部材４０が、前進するチップ２２の前端に押圧されて徐々に解放してゆく（図６（ｂ）参照）。
【００５０】
そして、前記前進により、蓋開閉部材５０の前端が軸筒１０内前端の被当接部１１に当接すると、蓋開閉部材５０は前進不能になるが、中芯ユニット２０は、二つの係合片部５４の間に入り込むようにして更に前進し、図６及び７（ｃ）に示すように、筆記部２２ａを開口部１９から前方へ突出させる。この突出状態は、中芯ユニット２０側の係止突起２４ｃと、軸筒１０側の前側係止部１７との係止により維持される。
【００５１】
また、前記突出状態において、筆記部２２ａを没入させる場合には、ノック部２５を更に前方へ押動する操作が行われる。この操作により、中芯ユニット２０が前進し、係止突起２４ｃが前側係止部１７から外れて軸筒１０内周面側へ潜り込み、縦リブ１４（図２参照）とカム斜面２４ａ（図３参照）との係合により、回動部材２４が回転して、係止突起２４ｃが前側係止部１７に係合しない位置になる。
この状態で、ノック部２５に対する押圧力が解除されると、中芯ユニット２０が付勢部材６０の付勢力により後退し、係止突起２４ｃが後側係止部１８に嵌りあって初期状態に戻る。
【００５２】
前記後退の過程において、中芯ユニット２０の前部側では、図６〜７の（ｃ）（ｂ）（ａ）に示す順番の動作が行われる。
すなわち、中芯ユニット２０の後退の初期段階では、蓋開閉部材５０は軸筒１０内周部（詳細にはガイド凸部１３や縦リブ１４等）との摩擦によって突出位置側に寄せられており殆ど後退せずに、各係合突起２１ｄが被係合孔５４ａ内を後方へ移動し、この動作に伴って、筆記部２２ａが、軸筒１０の開口部１９内へ没入し、さらにシール筒３０内へ向かって移動する。
そして、中芯ユニット２０の後退が継続すると、各係合突起２１ｄが被係合孔５４ａの後端内縁に係止するため、蓋開閉部材５０は、係合突起２１ｄに引っ張られて後退し始める。
【００５３】
すると、後退する蓋開閉部材５０に押されて、蓋部材４０が閉動し、該蓋部材４０によってシール筒３０の開口部が閉鎖され、元の初期状態（没入状態）に戻る。
【００５４】
よって、出没式筆記具１によれば、中芯ユニット２０を前進させた際に、二股状の係合片部５４，５４を、筒状部材２１の傾斜段部２１ｂに沿わせて弾性的に撓ませて、これら係合片部５４，５４と中芯ユニット２０との係止を外すようにしているため、中芯ユニット２０を押圧操作する際の抵抗感が小さく、中芯ユニット２０をスムーズに前進させることができる。
【００５５】
なお、上記実施例によれば、蓋開閉部材５０の係合片部５４を二つ有する構成としたが、他例としては、係合片部５４を軸筒周方向へ間隔を置いて３以上設けた構成とすることも可能である。この場合、中芯ユニット２０側の係合突起２１ｄも、３以上設けて、それぞれを係合片部５４に係止する。
【００５６】
また、上記実施例によれば、中芯ユニット２０外周の係止突起２４ｃ、軸筒１０側の後側係止部１８及び前側係止部１７等により、初期位置と突出位置における係止構造を構成したが、他例としては、前記係止構造以外の構造によって、中芯ユニット２０を初期位置と突出位置に係止することも可能である。
【００５７】
また、上記実施例では、中綿式筆記具を構成したが、他例としては、前記中綿２３を省いて直液式の筆記具を構成したり、チップ２２及び中綿２３をボールペン用リフィールに置換してボールペンを構成したり等、中綿式筆記具以外の出没式筆記具を構成することも可能である。
【符号の説明】
【００５８】
１：出没式筆記具
１０：軸筒
１２：逃がし孔
２０：中芯ユニット
２１：筒状部材
２１ａ：支持筒部
２１ｂ：傾斜段部
２１ｃ：大径筒部
２１ｄ：係合突起
２１ｄ１：傾斜面
２２ａ：筆記部
３０：シール筒
４０：蓋部材
４２ｂ：突起
５０：蓋開閉部材
５１：環状押圧部
５２：引張片部
５３：筒部
５４：係合片部
５４ａ：被係合孔
【図１】
0006373693.tif 000002
【図２】
0006373693.tif 000003
【図３】
0006373693.tif 000004
【図４】
0006373693.tif 000005
【図５】
0006373693.tif 000006
【図６】
0006373693.tif 000007
【図７】
0006373693.tif 000008